(57)【特許請求の範囲】
【請求項１】
前板部と、前板部に対面して位置する背板部と、前板部と背板部との間の底側に位置し、前後方向中央部において幅方向に延在する取出口を有する底板部と、前記前板部及び背板部から各々対面する方向に突出する既設ガイド部とを有する家庭用薄葉紙ディスペンサーに取付けて使用する家庭用薄葉紙のガイド体であって、
前記ガイド体は、前板部又は背板部に対する取付け面を有する取付け部材と、この取付け部材に対して、回動自在に連結されて前記取付け面に対する倒立状態と倒伏状態とが選択可能でありかつ前記倒立状態において取付け面からの突出長さが前記既設ガイド部の前板部又は背板部からの突出長さよりも長い後付ガイド部を有するガイド部材と、を有し、
前記取付け面を介して取付け部材を前板部又は背板部に取付けた状態で、前記ガイド部材を倒立状態とすることで、前記前板部又は背板部からの突出長さが、前記既設ガイド部の突出長さより長い後付ガイド部が形成され、かつ、前記ガイド部材を倒伏状態とすることで、前記ガイド部材が既設ガイド部より各板部に近接され、前記ガイド部材の倒立状態と倒伏状態の選択によって、既設ガイド部と後付ガイド部とが選択される機能を前記ディスペンサーに付与する、ことを特徴とする家庭用薄葉紙のガイド体。
【発明の詳細な説明】
【技術分野】
【０００１】
本発明は、家庭用薄葉紙のガイド体、特に家庭用薄葉紙ディスペンサーに取り付けて使用するガイド体に関する。
【背景技術】
【０００２】
複数枚の家庭用薄葉紙を折り畳んで積層した束を、交換可能に内部に収め、底部の取出口から一枚ずつ引き出せるようにする家庭用薄葉紙ディスペンサーがある。このようなディスペンサーによく用いられる家庭用薄葉紙は、ペーパータオルが代表的である。そして、このペーパータオルでは、大判、中判、小判やＳ，Ｍ、Ｌサイズ又は小サイズ、中サイズ、大サイズなど製造業者において呼び方や、それら種別毎の大きさに若干の差はあるものの、概ね三規格程度の大きさに分けられている。
【０００３】
そして、近年、ペーパータオルの紙質の向上による吸水性等の機能向上が図られ、またエコ意識の高まりなどから、大判や中判等の紙面の大きいペーパータオルから、小判等のより紙面の小さいペーパータオルへの移行が進んでいる。
【０００４】
しかし、従来のディスペンサーは、その大判用、中判用、小判用等のペーパータオルの束の大きさに合わせたガイド材が内部に配されて、その束の大きさ専用に作られており、そのディスペンサーが想定するペーパータオルより小さいサイズのペーパータオルを用いると、ガイド材のガイド機構が働かず、引き出しがスムーズに行えないという問題があった。
【０００５】
このため、大判、中判等の紙面の大きいペーパータオル用のディスペンサーの設置者や所有者が、小判等の紙面の小さいペーパータオルに移行しようとするとディスペンサーそのものを新たに購入して設置替えする必要があり、コストや手間がかかるという問題があった。
【先行技術文献】
【特許文献】
【０００６】
【特許文献１】特許第４２２８０８３号
【特許文献２】特許第４１８０３３４号
【特許文献３】特許第４６１５５５０号
【特許文献４】特許第５５７９５１９号
【特許文献５】特許第５３０１８２４号
【特許文献６】特許第４８４７６２６号
【発明の概要】
【発明が解決しようとする課題】
【０００７】
そこで、本発明の主たる課題は、家庭用薄葉紙ディスペンサーに取り付けることで、ディスペンサーを異なる大きさの家庭用薄葉紙の束に対応できるようにするガイド体を提供することにある。
【課題を解決するための手段】
【０００８】
上記課題を解決した本発明は以下のとおりである。
【０００９】
〔請求項１記載の発明〕
前板部と、前板部に対面して位置する背板部と、前板部と背板部との間の底側に位置し、前後方向中央部において幅方向に延在する取出口を有する底板部と、前記前板部及び背板部から各々対面する方向に突出する既設ガイド部とを有する家庭用薄葉紙ディスペンサーに取付けて使用する家庭用薄葉紙のガイド体であって、
前記ガイド体は、前板部又は背板部に対する取付け面を有する取付け部材と、この取付け部材に対して、回動自在に連結されて前記取付け面に対する倒立状態と倒伏状態とが選択可能でありかつ前記倒立状態において取付け面からの突出長さが前記既設ガイド部の前板部又は背板部からの突出長さよりも長い後付ガイド部を有するガイド部材と、を有し、
前記取付け面を介して取付け部材を前板部又は背板部に取付けた状態で、前記ガイド部材を倒立状態とすることで、前記前板部又は背板部からの突出長さが、前記既設ガイド部の突出長さより長い後付ガイド部が形成され、かつ、前記ガイド部材を倒伏状態とすることで、前記ガイド部材が既設ガイド部より各板部に近接され、前記ガイド部材の倒立状態と倒伏状態の選択によって、既設ガイド部と後付ガイド部とが選択される機能を前記ディスペンサーに付与する、ことを特徴とする家庭用薄葉紙のガイド体。
【発明の効果】
【００１０】
以上のとおり、本発明によれば、家庭用薄葉紙ディスペンサーに取り付けることで、ディスペンサーを異なる大きさの家庭用薄葉紙の束に対応できるようにするガイド材が提供される。
【図面の簡単な説明】
【００１１】
【図１】家庭用薄葉紙ディスペンサーの正面図である。
【図２】家庭用薄葉紙ディスペンサーの側面図であり、開閉構造を説明する図である。
【図３】家庭用薄葉紙ディスペンサーの縦断面図である。
【図４】家庭用薄葉紙ディスペンサーの横断面図である。
【図５】ガイド体の説明図である。
【図６】ガイド体の動きを説明するための斜視図である。
【図７】ガイド体が取付けられている家庭用薄葉紙ディスペンサーの他の正面図である。
【図８】ガイド体が取付けられている家庭用薄葉紙ディスペンサーの横断面図である。
【図９】ガイド体が取付けられている家庭用薄葉紙ディスペンサーの他の横断面図である。
【図１０】ガイド体が取付けられている家庭用薄葉紙ディスペンサーの縦断面図である。
【発明を実施するための形態】
【００１２】
次いで、本発明の実施の形態を図１〜１０を参照しながら以下に詳述する。
【００１３】
まず、本発明にかかるガイド体の取付け対象となる家庭用薄葉紙ディスペンサーの例を説明する。この家庭用薄葉紙ディスペンサー１００（以下、単にディスペンサーという）は、その素材が例えばＡＢＳ樹脂等の合成樹脂や金属素材等で形成された筐体１の内部に、略直方体形状の家庭用薄葉紙２の束２Ａを収め、底板部３０に形成された取出口１３から、束２Ａを構成する家庭用薄葉紙２を一枚ずつ引き出すようにして使用されるものである。
【００１４】
その筐体１は、前板部１０と、前板部１０に対面して位置する背板部２０と、前板部１０と背板部２０との間の底側に位置し、前後方向中央部において幅方向に延在する取出口１３を有する底板部３０と、を有しており、前記前板部１０が、図示されない軸を介してハッチ式に取付けられ、図２中一点鎖線で示すようにその前板部１０を手前に引き下げることにより、筐体１が前面開放状態となり、筺体内部に家庭用薄葉紙２の束２Ａが収納可能となる。なお、図示の形態では、背板部２０と底板部３０とが別体となっているが、これらは一体的な構造であってもよい。
【００１５】
一方、このディスペンサー１００には、前記前板部１０及び背板部２０から各々対面する方向に突出し、上下方向に延在する薄板状の既設のガイド部５０が設けられており、図３、図４に示すように、そのガイド部５０の底板部側の端部５１が、内部に収納された束２Ａに一部食い込むことで、束２Ａの上方側の一部を支持し、取出口１３にかかる束の荷重を軽減するとともに、束の下方側を底部側へ適切に案内して、束最下位の家庭用薄葉紙がスムーズに分離されて取出口１３から引き出せるようになっている。
【００１６】
したがって、対面するガイド部５０の間隔（先端５１間の間隔）は、そのディスペンサー１００が想定する規格の家庭用薄葉紙２によって形成される束２Ａの大きさ（前後方向長さ）に応じて設定されており、対面する既設のガイド部５０の間隔より、短い前後方向長さの束は、底板部３０側に落ち込み引き出しがスムーズに行えなくなる。
【００１７】
なお、家庭用薄葉紙の束の前後方向長さは、ペーパータオルを例にとれば、規格によって異なるが、大判、中判などと称されるペーパータオルによる束で１０５〜１２５ｍｍ程度、小判などと称されるペーパータオルによる束で７５〜９５ｍｍ程度である。なお、図示の形態では、ガイド部５０の底板部側の端部５１が対面する前板側、背板側にやや突出する凸部を有する形状となっているが、このような凸部５１がなく、単に上方から下方に向かって下り傾斜する形状で先端又は先端部分が形成される形状であってもよい。なお、一般にガイド部５０は、このような端部を有しており、ガイド部間の間隔は、束に食い込む部分の先端間の間隔であり、本発明においても同様である。
【００１８】
一方、このようなディスペンサー１００に取付ける本実施形態のガイド体６は、図５に示すように、前板部１０又は背板部２０に対する取付け面６１を有する取付け部材と、この取付け部材６０Ａに対して、回動自在に連結されて前記取付け面６１に対する倒立状態と倒伏状態とが選択可能でありかつ前記倒立状態において取付け面６１からの突出長さＬ１が、ディスペンサー１００の既設ガイド部５０における前板部１０又は背板部２０からの突出長さＬ２よりも長い後付ガイド部６２を有するガイド部材６０Ｂとを有している。
【００１９】
取付け部材６０Ａ及びガイド部材６０Ｂは薄板状であり、ガイド体６全体として、その厚みが少なくともディスペンサー１００に既設のガイド部５０の突出長さＬ２よりも薄くなっている。また、図示の形態のガイド体６は、取付け部材６０Ａとガイド部材６０Ｂとが各々軸心６３に回動自在に連結されて平蝶番の形状をなし、それによって、ガイド部材６０Ｂが取付け部材６０Ａの取付け面６１に対して倒立状態と倒伏状態とが選択可能となっている。但し、ガイド部材６０Ｂと取付け部材６０Ａとは平蝶番を構成するように連結する必要はなく、ガイド部材６０Ｂが取付け部材６０Ａに、その取付け面６１に対して倒立状態と倒伏状態とが選択可能であれば、特に限定されない。例えば、ガイド部材６０Ｂと取付け部材６０Ａとを塑性変形素材で連結するようにしてもよい。また、取付け部材６０Ａとガイド部材６０Ｂとを軸によって回動自在に連結する場合には、公知のラチェット機構やその解除機構を組み込んで、取付け部材６０Ａの取付け面６１に対して、ガイド部材６０Ｂが倒立状態で仮固定されるようにしてもよい。
【００２０】
取付け面６１は、ディスペンサー１００の前板部１０又は背板部２０にガイド体６を取付ける際に、各板部１０，２０に面接し、図示の形態のガイド体６は、その取付け面６１に粘着剤６４が配されていて、その粘着剤６４によって、ガイド体６が、取付け面６１を前板部１０又は背板部２０に面接させた状態で取付けられるようになっている。なお、ガイド体６をディスペンサー１００に取付ける取付け手段は、前記粘着剤６４に限られず、接着剤、その他公知の係止機構により行なわれるようにしてもよい。例えば、図示はしないが、ディスペンサー側に係止溝或いは凹部を設け、その一方でガイド体に、その取付け面から凸となる係止爪部を設け、この爪部を係止溝等に係止するようにして、取付けるようにしてもよい。また、粘着剤や接着剤を用いるのであれば、ガイド体やディスペンサーに応じて適宜の粘着剤や接着剤を選択すればよい。
【００２１】
ガイド体６における後付ガイド部６２は、ディスペンサー１００に既設のガイド部５０と同様に、一方端部６５がやや凸となっており、前記取付け面６１を介して前板部１０又は背板部２０に取付け、前記ガイド部材６０Ｂを倒立状態とした際に、前記前板部１０又は背板部２０からの突出長さＬ１が、前記既設ガイド部５０の突出長さＬ２より長くなるように設定されている。図示の形態では、前記軸心６３からの距離Ｌ１が既設ガイド部５０の突出長さＬ２より長くなっており、これにより上記の突出長さを達成されるようになっている。後付ガイド部６２の突出方向に直交する方向の長さ、図示の形態であれば、軸方向の長さは適宜に設定でき、例えば、ディスペンサー１００に既設のガイド部５０の上下方向長さと同程度とすることができる。
【００２２】
取付け部材６０Ａの大きさについては、ガイド体６をディスペンサー１００に取付け可能な適宜の大きさであればよく、必ずしも限定されない。図示の形態のように粘着剤６４によってディスペンサー１００に取付けるようにするのであれば、十分な粘着性を確保できる粘着剤面積が得られる程度の大きさとすればよい。したがって、図示の形態では、軸方向の長さが、後付ガイド部６２と同等である形状になっているが、必ずしも後付ガイド部６２の長さに合わせる必要はない。
【００２３】
ここで、ガイド体６のディスペンサー１００への取付け及び使用態様について具体的に説明すると、このガイド体は、上記ディスペンサー１００に対して、特に、図７、図８に示されるように、前記粘着剤６４等によって取付け面６１を介して、その取付け面６１を前板部１０又は背板部２０に面接するようにして取付ける。その際、ガイド体６が、既設ガイド部５０を覆うような位置とはしない。また、ガイド部材６０Ｂが倒立状態と倒伏状態とを選択可能な位置、好ましくは、ガイド部材６０Ｂが前板部１０又は背板部２０と平行となるまで倒伏状態となる位置とする。さらに、ガイド部材６０Ｂを倒立状態とした際に、ディスペンサー１００の上下方向に沿って後付ガイド部６２が構成される方向で取付ける。図示の形態は、ガイド体６の軸方向がディスペンサー１００の上下方向に沿う方向として、既設ガイド部５０の幅方向外側位置にガイド体６を取付けている。
【００２４】
このように本実施形態に係るガイド体６が取付けられたディスペンサー１００では、ガイド部材６０Ｂを倒伏状態とした際には、図７、図８に示すように、ガイド部材６５Ｂが前板部１０又は背板部２０に近接し、ガイド体６が平板状をなして前板部１０又は背板部２０に対して平行に位置して、各板部１０，２０からは既設のガイド部５０のみが突出する状態となり、その既設ガイド部５０が支持可能な家庭用薄葉紙の束２Ａ、例えば大判、中判等のペーパータオルの束が支持可能となる。そして、図９及び図１０に示すように、ガイド体６のガイド部材６０Ｂを倒立状態とした際には、その後付ガイド部６２の突出長さＬ１が、前記既設ガイド部５０の突出長さＬ２より長いことから後付ガイド部６２の先端が、既設ガイド部５０の先端を超えて、ディスペンサー１００の前後方向中央側に位置することになり、これによって、前記既設のガイド部５０が支持する束２Ａよりも小さい規格の家庭用薄葉紙の束２Ｂ、例えば小判等のペーパータオルの束が支持可能となる。
【００２５】
このように、本実施形態のガイド体６は、ディスペンサー１００に取付けて、そのガイド部材６０Ｂの倒立状態と倒伏状態とを選択することによって、既設ガイド部５０と後付ガイド部６２とが選択される機能がディスペンサー１００に付与される。そして、既設ガイド部５０と後付ガイド部６２の各板部１０，２０からの突出長さが異なるため、異なる大きさの規格のペーパータオルの束２Ａ，２Ｂに対応できるようになる。なお、このガイド体６は、既に設置されて使用されているディスペンサーに使用すべくガイド体のみで供してもよいし、ディスペンサーとセットで供するようにしてもよい。また、ディスペンサーに予め取付けて供してもよい。ガイド体の提供の態様は本発明を限定されるものではない。また、本発明における家庭用薄葉紙は、この種のディスペンサーに用いられるものであれば、特に限定されるものではなく、上記のとおり手拭き用途が主であるペーパータオルが代表的であるが、その他、清掃用途を主とするワイプ、工業製品や機具、用具の拭き取りを主とするウェス、厨房での使用を主とするキッチンペーパー、食材に使用することを主とするミートペーパーなどが例示される。
【符号の説明】
【００２６】
１００…家庭用薄葉紙ディスペンサー、１…筐体、２…家庭用薄葉紙、２Ａ，２Ｂ…家庭用薄葉紙の束、１３…取出口、１０…前板部、２０…背板部、３０…底板部、５０…既設ガイド部、５１…ガイド部の端部（凸部）、６…ガイド体、６０Ａ…取付け部材、６１…取付け面、６２…後付ガイド部、６０Ｂ…ガイド部材、６３…軸心、６４…粘着剤、６５…後付ガイド部の端部、Ｌ１…後付ガイド部の突出長さ、Ｌ２…既設ガイド部の突出長さ。
【図１】
0006576663.tif 000002
【図２】
0006576663.tif 000003
【図３】
0006576663.tif 000004
【図４】
0006576663.tif 000005
【図５】
0006576663.tif 000006
【図６】
0006576663.tif 000007
【図７】
0006576663.tif 000008
【図８】
0006576663.tif 000009
【図９】
0006576663.tif 000010
【図１０】
0006576663.tif 000011